(57)【要約】【課題】  別途部材を用いることなく凹凸嵌合による接続が負圧により外れないようにすることができ、しかも、断熱性能を低下させることがない断熱パネルの接続構造を提供する。【解決手段】  金属製の表面板１と裏面板２の間に断熱材３を介装して断熱パネルＡを形成する。断熱パネルＡの一方の端部に嵌合凸部５を設けると共に他方の端部に嵌合凹部４を設ける。隣接する断熱パネルＡを嵌合凹部４と嵌合凸部５の嵌合により接続する断熱パネルＡの接続構造に関する。表面板１の一方の端部に係合片９を設けると共に他方の端部に被係合片１３を設ける。係合片９と被係合片１３とを係合することによって、隣接する断熱パネルＡ、Ａの表面板１、１同士を連結する。断熱パネルＡに負圧がかかって撓みが生じても裏面板２にはこの負圧の力がかかりにくくなり、このために嵌合凹部４の破損を防止することができる。【選択図】  図１
2005207120.tif 000002
【特許請求の範囲】
【請求項１】
金属製の表面板と裏面板の間に断熱材を介装して断熱パネルを形成し、断熱パネルの一方の端部に嵌合凸部を設けると共に他方の端部に嵌合凹部を設け、隣接する断熱パネルを嵌合凹部と嵌合凸部の嵌合により接続する断熱パネルの接続構造において、表面板の一方の端部に係合片を設けると共に他方の端部に被係合片を設け、係合片と被係合片とを係合することによって、隣接する断熱パネルの表面板同士を連結して成ることを特徴とする断熱パネルの接続構造。
【請求項２】
上記係合片は、表面板の一方の端部に形成した断面略Ｕ字状の折り曲げ部の屋内側上端部に設け、折り曲げ部の内側に接着剤を充填して成ることを特徴とする請求項１に記載の断熱パネルの接続構造。
【発明の詳細な説明】
【技術分野】
【０００１】
本発明は、外壁等の壁を形成する際などに用いることができる断熱パネルの接続構造に関するものである。
【背景技術】
【０００２】
従来より、壁パネル等の断熱パネルとしてはサンドイッチパネルが用いられている（例えば、特許文献１参照）。図７（ａ）に断熱パネルＡ′の一例を示す。この断熱パネルＡ′は二枚の金属製の表面板１と裏面板２との間にロックウール等の断熱材３を介装して挟持することによって形成されている。また、断熱パネルＡ′の上端部に嵌合凸部５が形成されていると共に断熱パネルＡ′の下端部には嵌合凹部４が形成されている。この断熱パネルＡ′では表面板１及び裏面板２の各下端部を上方に向かって折り返し屈曲することにより、上下に細長い断面略Ｕ字状の折り曲げ部６、７を形成し、この対向する折り曲げ部６、７の間の空間が嵌合凹部４として形成されている。また、嵌合凸部５の表面側には頭部収納凹部１５が設けられている。
【０００３】
さらに、断熱パネルＡ′には補強具１０を設けて補強することが行なわれている。つまり、図７（ｂ）に示すように、断面Ｕ字状または断面コ字状の金属製の補強具１０の一側片を挿入片２６として表面板１の折り曲げ部６の内側に挿入すると共に、補強具１０の他側片を挿入片２６として裏面板２の折り曲げ部７に挿入することによって、補強具１０を断熱パネルＡ′の嵌合凹部４側に配置するものであり、これにより、一対の挿入片２６、２６及びこれらを連結する連結片２７により形成される補強具１０で嵌合凹部４が広がらないように補強することができるものである。
【０００４】
そして、上記の断熱パネルＡ′を施工するにあたっては、断熱パネルＡ′を胴縁等の下地材２５の表面に配置し、頭部収納凹部１５の底面から釘やビス等の固定具２４を打ち込んで、下地材２５にまで貫通する。こうして断熱パネルＡ′を取り付けた後、その上側から他の断熱パネルＡ′を近づけ、図７（ｂ）に示すように、上側の断熱パネルＡ′の嵌合凹部４を下側の断熱パネルＡ′の嵌合凸部５に嵌合する。このようにして上下に隣接する断熱パネルＡ′、Ａ′を接続しながら複数枚の断熱パネルＡ′を縦横に並べて施工して壁を形成することができるものである。
【０００５】
しかしながら、補強具１０を設けた断熱パネルＡ′では負圧がかかった場合に、断熱パネルＡ′を下地材２５から剥離する方向に力が作用するので、図８に示すように断熱パネルＡ′に撓みが生じ、この撓みが非常に大きくなると裏面板２の折り曲げ部７が嵌合凸部５を乗り越えて嵌合凹部４と嵌合凸部５との嵌合が外れ、この結果、隣接する断熱パネルＡ′、Ａ′の接続が外れてしまう恐れがあった。
【０００６】
また、補強具１０を通じて断熱パネルＡ′の表裏間で熱の移動（いわゆるヒートブリッジ）が発生するものであり、補強具１０を設けていない場合に比べて、断熱性能が低下する恐れがあった。
【特許文献１】特開平８−１８４１５９号公報
【発明の開示】
【発明が解決しようとする課題】
【０００７】
本発明は上記の点に鑑みてなされたものであり、別途部材を用いることなく凹凸嵌合による接続が負圧により外れないようにすることができ、しかも、断熱性能を低下させることがない断熱パネルの接続構造を提供することを目的とするものである。
【課題を解決するための手段】
【０００８】
本発明の断熱パネルの接続構造は、金属製の表面板１と裏面板２の間に断熱材３を介装して断熱パネルＡを形成し、断熱パネルＡの一方の端部に嵌合凸部５を設けると共に他方の端部に嵌合凹部４を設け、隣接する断熱パネルＡを嵌合凹部４と嵌合凸部５の嵌合により接続する断熱パネルＡの接続構造において、表面板１の一方の端部に係合片９を設けると共に他方の端部に被係合片１３を設け、係合片９と被係合片１３とを係合することによって、隣接する断熱パネルＡ、Ａの表面板１、１同士を連結して成ることを特徴とするものである。
【０００９】
この発明によれば、従来例のように表面板と裏面板とを連結するような補強具を用いずに、隣接する断熱パネルＡ、Ａの表面板１、１同士を係合片９と被係合片１３の係合で連結することによって、断熱パネルＡに負圧がかかって撓みが生じても裏面板２にはこの負圧の力がかかりにくくなり、このために嵌合凹部４の破損を防止することができるものであり、この結果、嵌合凹部４と嵌合凸部５との嵌合が完全に外れてしまうのを防止することができて、隣接する断熱パネルＡ、Ａの接続が外れないようにすることができるものである。しかも、係合片９と被係合片１３の係合により隣接する断熱パネルＡ、Ａの表面板１、１同士を連結するので、従来例の補強具のような他の部材を別途用意する必要がなく、また、断熱パネルＡの表裏間で熱の移動が補強具を通じて生じるのを防止することができ、断熱性能の低下を阻止することができるものである。
【００１０】
本発明において、上記係合片９は、表面板５の一方の端部に形成した断面略Ｕ字状の折り曲げ部６の屋内側端部に設け、折り曲げ部６の内側に接着剤４１を充填するのが好ましい。
【００１１】
この発明によれば、係合片９と被係合片１３を係合すると共に折り曲げ部６を接着することによって折り曲げ部６を広がりにくくすることができ、これにより、負圧により表面板１が断熱材３から剥離しにくくなって、負圧による断熱パネルＡの破損を防止することができるものである。
【発明の効果】
【００１２】
本発明では、従来例のように表面板と裏面板とを連結するような補強具を用いずに、隣接する断熱パネルの表面板同士を係合片と被係合片の係合で連結することによって、断熱パネルに負圧がかかって撓みが生じても裏面板にはこの負圧の力がかかりにくくなり、このために嵌合凹部の破損を防止することができるものであり、この結果、嵌合凹部と嵌合凸部５との嵌合が完全に外れてしまうのを防止することができて、隣接する断熱パネルの接続が外れないようにすることができるものである。しかも、係合片と被係合片の係合により隣接する断熱パネルの表面板同士を連結するので、従来例の補強具のような他の部材を別途用意する必要がなく、また、断熱パネルの表裏間で熱の移動が補強具を通じて生じるのを防止することができ、断熱性能の低下を阻止することができるものである。
【発明を実施するための最良の形態】
【００１３】
以下、本発明を実施するための最良の形態を説明する。
【００１４】
本発明の断熱パネルＡは、従来より壁パネルなどの建材として用いられているサンドイッチパネルであって、二枚の金属板よりなる表面板１と裏面板２との間に断熱材３を介在して挟持することによって形成されている。
【００１５】
表面板１と裏面板２として用いる金属板は厚みが０．２５〜１．６ｍｍ程度の薄板材であって、例えば、Ａｌ、Ｆｅ、Ｃｕ、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等の一種をプレス成形、押出成形、ロール成形等によって成形したものを用いることができる。
【００１６】
表面板１は横方向の全長に亘って一定の断面形状を有するものであり、図２（ａ）に示すように、平板状の化粧面部１１と、化粧面部１１の上端部に連設された凹段部１２と、凹段部１２の上端部に連設された被係合片１３と、化粧面部１１の下端部に連設された折り曲げ部６とを備えて形成されている。凹段部１２の表面は化粧面部１１の表面よりも凹んでおり、凹段部１２の表面側の空間は収納部１４として形成されている。また、凹段部１２の上下方向の略中央部には頭部収納凹部１５が設けられている。被係合片１３は凹段部１２の上端部から内面側（断熱材３側に向く面側）に突出しており、その先端は下方に向かって折り曲げられているが、この先端の下方への折り曲げは必ずしも必要でない。折り曲げ部６は上下方向に細長い断面Ｕ字状に内方（内面側）に折り返し屈曲して形成されるものである。そして、この折り曲げ部６の両端部のうちの屋内側端部（断熱材３側の端部）に係合片９が突設されている。すなわち、係合片９は、折り曲げ部６の化粧面部１１と連続していない方の端部から略水平に内方（断熱材３側に向く方）に向かって突設される突出片９ａと、突出片９ａの端部から折り曲げ部６と対向配置されるように下方に向かって突設される延長片９ｂと、延長片９ｂの端部に延設される引っ掛け片９ｃとで構成されている。引っ掛け片９ｃは外方（折り曲げ部６の方）に向かって屈曲した断面略く字状に形成されている。
【００１７】
裏面板２は横方向の全長に亘って一定の断面形状を有するものであり、図２（ｂ）に示すように、平板部３１と、平板部３１の上端部に連設された凹段部３２と、凹段部３２の上端部に連設された補強片部３３と、平板部３１の下端部に連設された折り曲げ部７とを備えて形成されている。凹段部３２の表面は平板部３１の表面よりも凹んでおり、凹段部３２の表面側の空間は収納部３４として形成されている。補強片部３３は凹段部３２の上端部から内面側（断熱材３側に向く面側）に突出しており、その先端は下方に向かって折り曲げられている。折り曲げ部７は表面板１の折り曲げ部６よりも上下方向に短い断面Ｕ字状に内方（内面側）に折り返し屈曲して形成されるものであって、その先端には補強片３５が突設されている。
【００１８】
断熱材３としては、ロックウールやグラスウールやセラミックファイバーなどの無機繊維体及びウレタンフォームやフェノールフォームなどの樹脂発泡体等を例示することができる。特に、断熱材３は断熱性能と共に耐火性能をも有するロックウールやグラスウールやフェノールフォームを用いるのが好ましい。また、断熱材３は角材のようなブロック状に形成することができると共に芯材３は密度が通常２０〜４００ｋｇ／ｍ３のものを用いることができるが、１２０〜２００ｋｇ／ｍ３のものを用いるのが好ましい。
【００１９】
そして、本発明で用いる断熱パネルＡを形成するあたっては、表面板１の被係合片１３と裏面板２の補強片部３３とを略同じ高さに位置合わせすると共に表面板１の係合片９の突出片９ａと裏面板の補強片３５とを略同じ高さに位置合わせするようにして表面板１と裏面板２とを対向配置し、係合片９の突出片９ａと補強片３５よりも上側において表面板１と裏面板２の間に断熱材３を介装させると共に表面板１と裏面板２とを断熱材３に接着することによって、図３に示すように、表面板１と裏面板２の間に断熱材３を充填した断熱パネルＡを形成することができる。このような断熱パネルＡの上部には表面板１の凹段部１２と裏面板２の凹段部３２とその間の断熱材３とで構成される嵌合凸部５が形成されていると共に、断熱パネルＡの下部には表面板１の折り曲げ部６と裏面板２の折り曲げ部７との間に嵌合凹部４が形成されている。また、表面板１の下部に設けた係合片９が折り曲げ部６と補強片３５の間から嵌合凹部４内に突出している。また、被係合片１３と補強片部３３及び係合片９と補強片部３３は接触しないように隙間が設けられており、この隙間を含む被係合片１３の周辺にも断熱材３が存在するが、被係合片１３の周辺の断熱材３ａは他の部分の断熱材３よりも密度が低くて柔らかい（１００ｋｇ／ｍ３以下）のものを使用するのが好ましく、これにより、後述の係合片９の差し込みを容易に行うことができる。さらに、断面略Ｕ字状の折り曲げ部６の内側の空間にはウレタン系接着剤などの接着剤４１を充填して折り曲げ部６を構成する両片を接着するのが好ましく、これにより、折り曲げ部６が接着により広がりにくくなって、負圧により表面板１が断熱材３から剥離しにくくなり、この結果、負圧による断熱パネルＡの破損を防止することができるものである。このように接着剤４１を行なわない従来例では図９に示すように、負圧により表面板１が断熱材３から剥離して断熱パネルＡが破損する恐れがあるが、本発明ではこのような表面板１の断熱材３からの剥離を防ぐことができる。
【００２０】
上記の断熱パネルＡを施工するにあたっては、断熱パネルＡを胴縁等の下地材２５の表面に配置し、頭部収納凹部１５の底面から釘やビス等の固定具２４を打ち込んで、下地材２５にまで貫通する。こうして断熱パネルＡを取り付けた後、その上側から他の断熱パネルＡを近づけ、上側の断熱パネルＡの嵌合凹部４を下側の断熱パネルＡの嵌合凸部５に嵌合する。この時、上側の断熱パネルＡの折り曲げ部６は下側の断熱パネルＡの収納部１４に位置して収納され、上側の断熱パネルＡの折り曲げ部７は下側の断熱パネルＡの収納部３４に位置して収納される。この後、上側の断熱パネルＡの頭部収納凹部１５の底面から固定具２４を打ち込んで下地材２５にまで貫通する。このようにして上下に隣接する断熱パネルＡ、Ａを図１のように凹凸嵌合により接続しながら複数枚の断熱パネルＡを縦横に並べて施工して壁を形成することができるものである。尚、固定具２４の頭部２４ａは頭部収納凹部１５内に納められると共にこの頭部２４ａは収納部１４に収納された折り曲げ部６で覆われて表面側から見えなくすることができるものである。また、図中の符号２９は耐火性を有する防水パッキンであり、この防水パッキン２９を被係合片１３と突出片９ｃの間に設けることにより凹凸嵌合部分の水密性を高めることができる。
【００２１】
そして、上記のように上側の断熱パネルＡの嵌合凹部４を下側の断熱パネルＡの嵌合凸部５に嵌合していくと、上側の断熱パネルＡに設けた係合片９の延長片９ｂ及び引っ掛け片９ｃと下側の断熱パネルＡの被係合片１３とは互いに押圧し合って弾性変形することになり、これにより、係合片９の延長片９ｂ及び引っ掛け片９ｃは被係合片１３と補強片部３３の隙間から断熱材３ａに差し込まれ、この後、引っ掛け片９cが被係合片１３の下側に到達して延長片９ｂ及び引っ掛け片９ｃと被係合片１３との互いの押圧が解除されることにより、引っ掛け片９ｃが被係合片１３の下端に弾性的に引っ掛かって、係合片９と被係合片１３とが係合されるものである。
【００２２】
そして、本発明では、従来例のように表面板と裏面板とを連結するような補強具を用いずに、係合片９と被係合片１３との係合により隣接する断熱パネルＡ、Ａの表面板１、１同士を連結することによって、断熱パネルＡに負圧がかかって撓みが生じても裏面板２の折り曲げ部７にはこの負圧の力がかかりにくくなる。従って、折り曲げ部７が嵌合凸部５を乗り越えにくくなって嵌合凹部４の破損を防止することができ、嵌合凹部４と嵌合凸部５との嵌合が完全に外れてしまうのを防止することができるものであり、隣接する断熱パネルＡ、Ａの接続が外れないようにすることができるものである。しかも、従来例の補強具のような他の部材を別途用意する必要がなく、また、断熱パネルＡの表裏間で熱の移動が補強具を通じて生じるのを防止することができ、断熱性能の低下を阻止することができるものである。
【００２３】
図４に他の実施の形態を示す。この断熱パネルＡの接続構造では図１のものと対比して、断熱パネルＡの嵌合凸部５と嵌合凹部４とを上下逆に設けたものであり、その他の構成は上記の実施の形態とほぼ同じである。すなわち、図５（ａ）に示すように、表面板１は頭部収納凹部１５よりも上側の部分が頭部収納凹部１５の底面とほぼ面一に形成され、且つ折り曲げ部６の内側の片の途中に傾斜部６ａを形成したものであり、これらの構成以外は図２（ａ）に示すものと同様である。また、図５（ｂ）に示すように、裏面板２は平板部３１と、平板部３１の下端部に連設された凹段部３２と、凹段部３２の下端部に連設された補強片部３３と、平板部３１の上端部に連設された折り曲げ部７と、折り曲げ部７の先端に突設された補強片３５とを備えて形成されている。つまり、図５（ｂ）の裏面板２は図２（ｂ）のものと対比して、凹段部３２及び補強片部３３の位置と折り曲げ部７及び補強片３５の位置とが上下逆転しており、これらの構成以外は図２（ｂ）に示すものと同様である。
【００２４】
そして、本発明で用いる断熱パネルＡを形成するあたっては、表面板１の被係合片１３と裏面板２の補強片３５とを略同じ高さに位置合わせすると共に、表面板１の係合片９の突出片９ａと裏面板の補強片部３３とを略同じ高さに位置合わせするようにして表面板１と裏面板２とを対向配置し、係合片９の突出片９ａと補強片部３３よりも上側において表面板１と裏面板２の間に断熱材３を介装させると共に表面板１と裏面板２とを断熱材３に接着することによって、図６に示すような表面板１と裏面板２の間に断熱材３を充填した断熱パネルＡを形成することができる。このような断熱パネルＡの上部には表面板１の凹段部１２の上部と裏面板２の折り曲げ部７とで構成される嵌合凹部４が形成されていると共に、断熱パネルＡの下部には表面板１の係合片９と裏面板２の凹段部３２とその間の断熱材３とで嵌合凸部５が形成されている。また、嵌合凹部４内に被係合片１３が突出していると共に嵌合凸部５の表面には引っ掛け片９ｃが突出して設けられている。また、この断熱パネルＡでは折り曲げ部６の内側には断熱材３が充填されている。さらに、断熱パネルＡでは上記のような密度が低い断熱材３ａに相当するものは用いられていない。その他の構成は上記の実施の形態の断熱パネルＡとほぼ同様に形成されている。
【００２５】
上記の断熱パネルＡを施工するにあたっては、断熱パネルＡを胴縁等の下地材２５の表面に配置し、頭部収納凹部１５の底面から釘やビス等の固定具２４を打ち込んで、下地材２５にまで貫通する。こうして断熱パネルＡを取り付けた後、その上側から他の断熱パネルＡを近づけ、上側の断熱パネルＡの嵌合凸部５を下側の断熱パネルＡの嵌合凹部４に嵌合する。この時、上側の断熱パネルＡの折り曲げ部６は下側の断熱パネルＡの収納部１４に位置して収納され、下側の断熱パネルＡの折り曲げ部７は上側の断熱パネルＡの収納部３４に位置して収納される。この後、上側の断熱パネルＡの頭部収納凹部１５の底面から固定具２４を打ち込んで下地材２５にまで貫通する。このようにして上下に隣接する断熱パネルＡ、Ａを図４のように凹凸嵌合により接続しながら複数枚の断熱パネルＡを縦横に並べて施工して壁を形成することができるものである。
【００２６】
そして、この実施の形態においても、上側の断熱パネルＡの嵌合凸部５を下側の断熱パネルＡの嵌合凹部４に嵌合していくと、上側の断熱パネルＡに設けた係合片９の延長片９ｂ及び引っ掛け片９ｃと下側の断熱パネルＡの被係合片１３とは互いに押圧し合って弾性変形しながら、引っ掛け片９ｃが嵌合凹部４に差し込まれ、この後、引っ掛け片９cが被係合片１３の下側に到達して延長片９ｂ及び引っ掛け片９ｃと被係合片１３との互いの押圧が解除されることにより、引っ掛け片９ｃが被係合片１３の下端に弾性的に引っ掛かって、係合片９と被係合片１３とが係合されるものである。
【産業上の利用可能性】
【００２７】
本発明は、断熱パネルＡの上下端部に嵌合凹部４と嵌合凸部５を形成した例を示したが、これに限らず、断熱パネルＡの一方の側端部に嵌合凹部４を、他方の側端部に嵌合凸部５を形成した場合にも本発明を適用することができる。
【図面の簡単な説明】
【００２８】
【図１】本発明の実施の形態の一例を示す断面図である。
【図２】同上の（ａ）は表面板の一例を示す断面図、（ｂ）は裏面板の一例を示す断面図である。
【図３】同上の断熱パネルの一例を示す一部の斜視図である。
【図４】同上の他の実施の形態の一例を示す断面図である。
【図５】同上の（ａ）は表面板の一例を示す断面図、（ｂ）は裏面板の一例を示す断面図である。
【図６】同上の断熱パネルの一例を示す一部の斜視図である。
【図７】（ａ）は従来例の断熱パネルを示す一部の斜視図、（ｂ）は断熱パネルの接続を示す断面図である。
【図８】従来例の問題点を示す断面図である。
【図９】従来例の他の問題点を示す断面図である。
【符号の説明】
【００２９】
１  表面板
２  裏面板
３  断熱材
４  嵌合凹部
５  嵌合凸部
６  折り曲げ部
９  係合片
１３  被係合片
４１  接着剤
Ａ  断熱パネル
【図１】
2005207120.tif 000003
【図２】
2005207120.tif 000004
【図３】
2005207120.tif 000005
【図４】
2005207120.tif 000006
【図５】
2005207120.tif 000007
【図６】
2005207120.tif 000008
【図７】
2005207120.tif 000009
【図８】
2005207120.tif 000010
【図９】
2005207120.tif 000011